(57)【要約】【課題】放送電波の受信状態が良好でなくなった場合、使用者に放送電波の検知を促し、使用者が肯定応答した場合は速やかに放送電波を検知することが可能な放送受信装置及び放送録画装置を提供する。【解決手段】受信中の放送局の受信状態が劣化した場合、放送電波の検知を促すＯＳＤ表示及び検知の指示を受け付ける画面を報知するか否かを選択させるＯＳＤ表示を行う（Ｓ２１）。該ＯＳＤ表示に対して使用者が肯定応答を入力した場合は（Ｓ２２：ＹＥＳ）、現在の地域設定内容のＯＳＤ表示及び放送電波を検知するか否かを受け付けるＯＳＤ表示を行う（Ｓ２３）。更に該ＯＳＤ表示に対して使用者が肯定応答した場合は（Ｓ２４：ＹＥＳ）、放送電波を検知して（Ｓ２５）、放送電波の受信チャンネル番号をリモコン番号に対応付け（Ｓ２６）、新たに選局対象とする。【選択図】図５
2008227629.tif 000002
【特許請求の範囲】
【請求項１】
映像を有する放送電波を検知し、受け付けた数値との対応付けを有する前記放送電波を受信して映像信号を出力するように構成された放送受信装置において、
受信状態の良否を判定する手段と、
受信状態が良好でないと判定した場合、前記映像信号の出力中に放送電波の検知の指示を問う報知信号を出力する手段と、
前記検知を指示するか否かを受け付ける手段とを備え、
検知指示を受け付けた場合、放送電波を検知するように構成してあること
を特徴とする放送受信装置。
【請求項２】
地上波デジタルの放送電波を検知し、受け付けた数値との対応付けを有する前記放送電波を受信して映像信号を出力するように構成された放送受信装置において、
地域の設定を受け付ける手段と、
受信状態の良否を判定する手段と、
受信状態が良好でないと判定した場合、前記映像信号の出力中に、放送電波の検知指示の受け付けに係る報知の指示を問う報知信号を出力する手段と、
前記報知を指示するか否かを受け付ける手段と、
報知指示を受け付けた場合、前記映像信号の出力中に、地域の設定に係る情報を出力しつつ放送電波の検知の指示を問う報知信号を出力する手段と、
前記検知を指示するか否かを受け付ける手段とを備え、
検知指示を受け付けた場合、放送電波を検知するように構成してあること
を特徴とする放送受信装置。
【請求項３】
前記地域の設定に係る情報は、地域の設定を受け付けたか否かであることを特徴とする請求項２に記載の放送受信装置。
【請求項４】
前記地域の設定に係る情報は、受け付けた地域の設定内容であることを特徴とする請求項２に記載の放送受信装置。
【請求項５】
請求項１乃至４の何れか一つに記載の放送受信装置と、
受信した放送電波の映像信号を録画する録画手段とを備えたことを特徴とする放送録画装置。
【発明の詳細な説明】
【技術分野】
【０００１】
本発明は、テレビジョン受像機等の放送受信装置、及び受信した映像信号を録画する放送録画装置に関する。
【背景技術】
【０００２】
テレビジョン受像機、携帯電話端末等の放送受信装置の中には、チャンネル数値キーの番号等の数値と放送電波との対応付けを有し、受け付けた前記数値に対応付けられた放送電波を受信するものがある。これらの放送受信装置において、引っ越し若しくは車載移動によって視聴場所が変わった場合、又は弱電界強度で受信される放送電波に対応付けられた前記数値に基づいて受信した場合に、放送電波の受信電界強度が視聴可能な閾値以下となることがある。また、放送電波の受信チャンネルが変更又は追加された場合には、以前に視聴可能であった放送が視聴できなくなることもある。
【０００３】
図１１乃至図１３は、従来のテレビジョン受像機において画面上に受信状態の異常がＯＳＤ（Ｏｎ  Ｓｃｒｅｅｎ  Ｄｉｓｐｌａｙ）表示された例を示す図である。図１１、図１２及び図１３は、放送電波の受信電界強度が夫々視聴に適するレベル以下、視聴可能なレベル以下及び電波として検出可能なレベル以下となった場合のＯＳＤ表示例である。
【０００４】
そこで特許文献１では、電源への再接続を検出し、更に受信した放送電波の信号内容及び／又は受信電界強度に変化があったと判断した場合に、使用者に報知情報を表示して、引っ越しがあったときに前記数値と放送電波との対応付けを更新することを促している。
【０００５】
前述の対応付けを有する放送受信装置においては、視聴開始に先立って受信が可能な放送電波を検知（いわゆるチャンネルサーチ）し、検知した放送電波と前記数値との対応付けが行われる。従って前記検知が未実施の場合にも、図１１乃至図１３のＯＳＤ表示が行われることがある。使用者はこのような表示を見て対応付けの構築が必要であることを認識した場合は、ＯＳＤ表示の操作ガイダンスを開く。操作ガイダンスにおいて、検知の指示の前に地域の設定が要求される場合は、地域の設定を行った後に検知を指示する。その後テレビジョン受像機は受信が可能な放送電波を検知し、前記対応付けを行う。
【０００６】
更に、自動で放送電波を検知する放送受信装置においては、視聴場所が変わっていない場合又は一時的な電波遮蔽状態にある場合に検知が実行されて、前記数値と放送電波との対応付けが不必要に更新されたり、視聴中に検知が行われて視聴に支障を来したりすることを回避する必要がある。そこで特許文献２では、給電停止があったことを電源投入時に検出した場合に放送電波を検知し、受信電界強度が基準電界強度以下となる放送電波の数が設定数を越えるときのみ、前記対応付けを更新することにより、引っ越し等による受信状態の変化に自動で対応している。更に特許文献２では、前記対応付けを有する放送電波の受信電界強度を一定時間間隔で自動的に測定し、受信電界強度が基準電界強度以下となる放送電波の数が設定した範囲内にある場合のみ前記対応付けの再構築を行うことにより、ビル陰又はトンネルから流出したときの受信状態の変化に自動で対応している。
【特許文献１】特開２００６−２１１０９９号公報
【特許文献２】特開２００４−１４０５５７号公報
【発明の開示】
【発明が解決しようとする課題】
【０００７】
しかしながら、図１１乃至図１３のようなＯＳＤ表示が行われた場合、受信状態が異常であるのはテレビジョン受像機の故障であると、使用者に認識されることがある。また、前記ＯＳＤ表示を見て使用者が操作ガイダンスに沿った操作を行う場合、初期設定で実施済みであるにもかかわらず、地域選択又は郵便番号設定から順に煩雑な画面操作を行わねばならないことがあるという問題があった。更にテレビジョン受像機購入後の最初の視聴時に図１１乃至図１３のような受信状態の異常を示すＯＳＤ表示が行われた場合、使用者に少なからぬ戸惑いを与えるため、使用者は地域の設定まで行ったとしても放送電波の検知の指示を失念することが多いという問題もあった。
【０００８】
一方、特許文献１に記載のテレビジョン受像機の場合、電源への再接続を検出する手段が必要であり、自動で検知が行われるのは前記再接続が検出されたときのみであるという制約があった。また、特許文献２に記載の受信装置の場合、前述した何れの例においても受信電界強度が基準電界強度以下となる放送電波の数が設定値を超えるまでは自動で前記対応付けが更新されないため、視聴できない状態に即刻対処しようとする使用者の要望に応じうるものではなかった。
【０００９】
本発明は斯かる事情に鑑みてなされたものであり、その目的とするところは、検知の実施／未実施とは無関係に放送電波の受信状態が良好でないと判定した場合、検知開始の可否に係る使用者の意思を確認するために、放送電波の検知の指示を問う報知信号を出力し、該報知信号に対して使用者が肯定応答したときは速やかに放送電波を検知するように構成することにより、検知した放送電波を選局に係る数値に対応付けて、視聴できない状況に迅速に対応することが可能な放送受信装置及び放送録画装置を提供することにある。
【００１０】
本発明の他の目的は、検知の実施／未実施とは無関係に地上波デジタル放送の受信状態が良好でないと判定した場合、検知指示の受け付けに際し使用者に確認させる内容を出力した上で改めて使用者に検知指示を問うために、放送電波の検知指示の受け付けに係る報知の指示を問う報知信号を出力し、該報知信号に対して使用者が肯定応答したときは、地域の設定に係る情報を出力すると共に放送電波の検知の指示を問う報知信号を出力し、更に該報知信号に対して使用者が肯定応答したときは、地上波デジタルの放送電波を検知するように構成することにより、新たな地域の設定を要することなしに放送電波を検知し、検知した放送電波を、例えばリモコン（リモートコントローラ）のチャンネル数値キー（以下リモコンキーという）番号（以下リモコン番号という）へ簡便に対応付けることが可能な放送受信装置及び放送録画装置を提供することにある。
【００１１】
本発明の他の目的は、放送電波の検知指示の受け付けに係る報知の指示を問う報知信号に対して使用者が肯定応答した場合、使用者に地域の設定の有無を認識させるために、地域の設定を受け付けたか否かを出力すると共に放送電波の検知の指示を問う報知信号を出力するように構成することにより、地域の設定の必要性を使用者に判断させた上で検知指示を受け付けることが可能な放送受信装置及び放送録画装置を提供することにある。
【００１２】
本発明の他の目的は、放送電波の検知指示の受け付けに係る報知の指示を問う報知信号に対して使用者が肯定応答した場合、使用者にそのときの地域の設定内容を認識させるために、受け付けた地域の設定内容を出力すると共に放送電波の検知の指示を問う報知信号を出力するように構成することにより、地域の設定の必要性を使用者に判断させた上で検知指示を受け付けることが可能な放送受信装置及び放送録画装置を提供することにある。
【課題を解決するための手段】
【００１３】
本発明に係る放送受信装置は、映像を有する放送電波を検知し、受け付けた数値との対応付けを有する前記放送電波を受信して映像信号を出力するように構成された放送受信装置において、受信状態の良否を判定する手段と、受信状態が良好でないと判定した場合、前記映像信号の出力中に放送電波の検知の指示を問う報知信号を出力する手段と、前記検知を指示するか否かを受け付ける手段とを備え、検知指示を受け付けた場合、放送電波を検知するように構成してあることを特徴とする。
【００１４】
本発明にあっては、放送電波の受信状態が良好でないと判定した場合、放送電波の検知の指示を問う報知信号を出力する。該報知信号に対し使用者が検知の指示を応答した場合、直ちに放送電波を検知し、検知した放送電波を選局に係る数値に対応付ける。
【００１５】
本発明に係る放送受信装置は、地上波デジタルの放送電波を検知し、受け付けた数値との対応付けを有する前記放送電波を受信して映像信号を出力するように構成された放送受信装置において、地域の設定を受け付ける手段と、受信状態の良否を判定する手段と、受信状態が良好でないと判定した場合、前記映像信号の出力中に、放送電波の検知指示の受け付けに係る報知の指示を問う報知信号を出力する手段と、前記報知を指示するか否かを受け付ける手段と、報知指示を受け付けた場合、前記映像信号の出力中に、地域の設定に係る情報を出力しつつ放送電波の検知の指示を問う報知信号を出力する手段と、前記検知を指示するか否かを受け付ける手段とを備え、検知指示を受け付けた場合、放送電波を検知するように構成してあることを特徴とする。
【００１６】
本発明にあっては、地上波デジタル放送の受信状態が良好でないと判定した場合、放送電波の検知指示の受け付けに係る報知の指示を問う報知信号を出力する。該報知信号に対し使用者が報知指示を応答した場合、地域の設定に係る情報を出力しつつ放送電波の検知の指示を問う報知信号を出力する。更に該報知信号に対し使用者が検知の指示を応答した場合、地上波デジタルの放送電波を検知し、検知した放送電波を選局に係る数値に対応付ける。
【００１７】
本発明に係る放送受信装置は、前記地域の設定に係る情報は、地域の設定を受け付けたか否かであることを特徴とする。
【００１８】
本発明にあっては、放送電波の検知指示の受け付けに係る報知の指示を問う報知信号に対して、使用者が肯定応答したときは、地域の設定を受け付けたか否かを出力すると共に放送電波の検知の指示を問う報知信号を出力する。
【００１９】
本発明に係る放送受信装置は、前記地域の設定に係る情報は、受け付けた地域の設定内容であることを特徴とする。
【００２０】
本発明にあっては、放送電波の検知指示の受け付けに係る報知の指示を問う報知信号に対して、使用者が肯定応答したときは、そのときの地域の設定内容を出力すると共に放送電波の検知の指示を問う報知信号を出力する。
【００２１】
本発明に係る放送録画装置は、上述した放送受信装置と、受信した放送電波の映像信号を録画する録画手段とを備えたことを特徴とする。
【００２２】
本発明にあっては、受信した放送電波の映像信号を録画し、再生する。
【発明の効果】
【００２３】
本発明に係る放送受信装置及び放送録画装置によれば、使用者が前記装置の故障と認識する前に放送電波の検知の指示を問う報知信号が出力され、該報知信号に対し使用者が肯定応答することにより、使用者の積極的意思を確認した上で放送電波の検知が実行され、検知した放送電波が選局に係る数値に対応付けられて新たに選局対象となる。従って視聴場所を移動させたとき、受信チャンネルの変更又は追加があったとき等、放送電波の受信状態が良好でなくなった場合、又は使用者が放送電波の検知の指示を失念したため受信できない場合に、特別な検出手段を要することなしに放送電波が検知されるため、使用者が即刻対応できるという利便性が高められると共に、使用者が前記各装置の故障と誤認する可能性を低減することができる。
【００２４】
本発明に係る放送受信装置及び放送録画装置によれば、使用者が前記装置の故障と認識する前に放送電波の検知指示の受け付けに係る報知の指示を問う報知信号が出力され、該報知信号に対し使用者が肯定応答することにより、検知に係る操作を進めるという使用者の意思が確認され、その後、地域の設定に係る情報が出力されると共に放送電波の検知の指示を問う報知信号が出力される。更に該報知信号に対し使用者が肯定応答することにより、前記地域の設定に係る情報が使用者に認識された上で地上波デジタルの放送電波が検知され、検知された放送電波が例えばリモコン番号に対応付けられて新たに選局対象となる。従って視聴場所を移動させたとき、受信チャンネルの変更又は追加があったとき等、放送電波の受信状態が良好でなくなった場合、又は使用者が放送電波の検知を失念したため受信できない場合に、特別な検出手段又は新たな地域の設定を要することなしに放送電波を検知し、地上波デジタルの放送電波をリモコン番号へ簡便に対応付けることが可能となると共に、使用者が前記各装置の故障と誤認する可能性を低減することができる。
【００２５】
本発明に係る放送受信装置及び放送録画装置によれば、放送電波の検知指示の受け付けに係る報知の指示を問う報知信号に対し使用者が肯定応答した場合、地域の設定を受け付けたか否かが出力されると共に放送電波の検知の指示を問う報知信号が出力される。更に該報知信号に対し使用者が肯定応答することにより、地域の設定は必要ないことが使用者に認識された結果として地上波デジタルの放送電波が検知される。従って、地域の設定の有無によって使用者に判断をさせた後に検知の指示を受け付けることが可能となる。
【００２６】
本発明に係る放送受信装置及び放送録画装置によれば、放送電波の検知指示の受け付けに係る報知の指示を問う報知信号に対し使用者が肯定応答した場合、受け付けた地域の設定内容が出力されると共に放送電波の検知の指示を問う報知信号が出力される。更に該報知信号に対し使用者が肯定応答することにより、そのときの地域の設定が正しいか否かが使用者に確認された結果として地上波デジタルの放送電波が検知される。従って、そのときの地域の設定内容によって使用者に判断をさせた後に検知の指示を受け付けることが可能となる。
【発明を実施するための最良の形態】
【００２７】
以下、本発明をその実施の形態を示す図面に基づいて詳述する。
【００２８】
（実施の形態１）
図１は、本発明の実施の形態１に係る放送録画装置の構成を示すブロック図である。図中１は地上波デジタル放送を受信することが可能な本発明に係る放送受信装置であり、放送受信装置１は、放送電波を受信し受像処理を行う受像部１０と、受像部１０の受像処理を制御する制御部２０とを備えている。２は放送録画装置のためのリモコンである。
【００２９】
受像部１０において、ＴＶ回路１１は放送電波を外部のアンテナから取り込んで受信し、放送映像をＯＳＤ回路１２及び録画部３に出力すると共に放送音声を音声出力部１３及び録画部３に出力する。ＯＳＤ回路１２は、ＴＶ回路１１から入力された放送映像の一部又は全部に替えて、各種ＯＳＤ表示を表示部１４に対し切り替え出力する。音声出力部１３は、ＴＶ回路１１が出力した放送音声又は録画部３が出力した再生音声のいずれかを切り替えて拡声出力する。表示部１４は、ＯＳＤ回路１２が出力した放送映像及び／又はＯＳＤ表示と、録画部３が出力した再生映像とを切り替え表示する。なお、表示部１４は液晶ディスプレイである。
【００３０】
制御部２０は、ＣＰＵ２１、タイマー２２、ＲＯＭ２３、ＲＡＭ２４、受信部２５及び操作部２６で構成され、互いにバス接続されている。ＣＰＵ２１はＲＯＭ２３からプログラムを読み出しながら実行し、各部との入出力を行うことにより、放送受信装置１、録画部３、受信部２５及び操作部２６の制御中枢として機能する。タイマー２２はＣＰＵ２１による処理における時間計測及び録画の開始終了時刻管理に使用する。ＲＯＭ２３は、ＣＰＵ２１による処理に必要なプログラム及び種々の固定データを記憶する読み出し専用のメモリである。ＲＡＭ２４はＣＰＵ２１によるプログラム実行時に発生する一時的データ等のデータの記憶に使用される書き換え可能なメモリである。受信部２５は、リモコン２の送信部２０１から送信された赤外線信号を受信するものである。操作部２６は、放送受信装置１の操作を本体側で直接行うために設けられており、チャンネルのアップダウンキー及びその他の操作キーを有している。
【００３１】
リモコン２は、放送録画装置の各種操作を遠隔で行うためのリモコン操作部２０２、及び該リモコン操作部を操作した場合に赤外線信号を受信部２５へ出力する送信部２０１で構成されている。リモコン操作部２０２は、放送電波に対応付けられた数値を設定するリモコンキー及び／又は選局ボタン並びにその他の操作キーを有している。
【００３２】
録画部３は、ＴＶ回路１１から入力された放送映像及び放送音声を夫々録画及び録音し、再生映像及び再生音声を夫々表示部１４及び音声出力部１３へ出力する。
【００３３】
放送録画装置に係る全ての操作は、操作部２６又はリモコン操作部２０２にある操作キーを押下することによって行う。夫々の操作信号は受信部２５又は操作部２６からバス経由でＣＰＵ２１に受け付けられる。ＣＰＵ２１は、受け付けた操作信号を元にＴＶ回路１１における放送電波の選局、音声出力部１３の音量調節、及び録画部３に係る録画再生等、各種制御を行う。
【００３４】
録画部３にて録画すべき放送映像をモニター表示する場合、又は受信部１０について各種設定を行う際の操作映像を表示する場合は、ＴＶ回路１１からＯＳＤ回路１２を介して出力される放送映像及び／又はＯＳＤ表示を表示部１４に表示する。録画部３での録画の開始及び終了は、前記操作キーの操作又はＣＰＵ２１による時刻管理の処理結果に基づいて制御される。再生時の表示部１４及び音声出力部１３における夫々再生映像及び再生音声への切り替えは、録画部３での再生に連動してＣＰＵ２１の制御により行われる。
【００３５】
使用者は、放送録画装置の使用開始に先立ってガイダンスに従い、地域の設定を行い、続いて地上波デジタルの放送電波の検知（チャンネルサーチ）を指示する。その後、放送録画装置は自動的に受信可能な放送電波を検知する。検知された放送電波は、操作部２６又はリモコン操作部２０２にて設定されるリモコン番号に対応付けられる。
【００３６】
図２は、地上波デジタル放送用のテレビジョン受像機において地域の設定を行う操作画面がＯＳＤ表示された例を示す図である。使用者は地域の設定を行う場合、まず「地域選択」又は「郵便番号設定」の何れかをリモコンの操作キー又は放送受信装置本体の操作キーで選択する。「地域選択」を選択した場合は、図２の例に表示された地域の名称を操作キーで選択し、更に図示しない次の画面にて操作キーより「県域」を入力する。「郵便番号設定」を選択した場合は、操作キーより郵便番号を入力する。
【００３７】
図３は地上波デジタル放送の地域名・県域に割り当てられたリモコン番号及び放送局名を示す図表である。地上波デジタル放送では、受信チャンネルの番号とリモコン番号とは一致しない。リモコン番号と地上波デジタルの放送電波との対応付けを行う場合は、予め使用者が上述のとおり地域の設定として地域名及び県域、又は郵便番号を入力する。その後ＣＰＵ２１が、地上波デジタルの放送電波を検知し、検知した地上波デジタルの放送電波に含まれるＳＩ（Ｓｅｒｖｉｃｅ  Ｉｎｆｏｒｍａｔｉｏｎ）情報からリモコンキーＩＤ（放送電波が割り当てられるべきリモコン番号を指定する数値）を読み出して、該リモコンキーＩＤと同一の数値を有するリモコン番号と前記放送電波とを対応付ける。
【００３８】
目的の放送電波を選局する場合は、使用者が操作部２６の操作キー又はリモコン操作部２０２にあるリモコンキー若しくは選局ボタンにて設定操作を行う。その後ＣＰＵ２１がＴＶ回路１１を制御して、前記リモコンキー又は選局ボタンによって設定される数値に対応付けられた放送電波を選局する。
【００３９】
図４は、本発明に係る放送受信装置１において、放送電波の受信状態を判定する処理手順を示すフローチャートである。以下の処理は制御部２０のＲＯＭ２３に予め格納されている制御プログラムに従ってＣＰＵ２１により実行される。
【００４０】
ＣＰＵ２１は、ＴＶ回路１１の端子から出力される放送電波の受信電界強度を所定の時間毎で所定回数取り込む（Ｓ１１）。ＣＰＵ２１は、取り込んだ受信電界強度を相加平均し、受信状態を表す数値とする（Ｓ１２）。ＣＰＵ２１は受信状態が所定の閾値を下回って劣化したかを判断し（Ｓ１３）、劣化していないと判断した場合（Ｓ１３：ＮＯ）、受信電界強度を読み取るステップＳ１１に処理を戻す。受信状態が劣化していると判断した場合（Ｓ１３：ＹＥＳ）、処理を終了する。
【００４１】
図５は、実施の形態１に係る放送録画装置の備える放送受信装置１において、地上波デジタルの放送電波の受信状態が劣化した場合の処理手順を示すフローチャートである。また、図６は放送電波の検知を促すＯＳＤ表示した画像、及び検知の指示を受け付ける画面を報知するか否かを受け付けるＯＳＤ表示した画像を示す説明図であり、図７は現在の地域設定内容のＯＳＤ表示した画像、及び放送電波を検知（チャンネルサーチ）するか否かを受け付けるＯＳＤ表示した画像を示す説明図である。ＣＰＵ２１は、図６に示すように放送電波の検知（チャンネルサーチ）を促すＯＳＤ表示を行うと共に、検知の指示を受け付ける画面を報知するか否かを選択させるＯＳＤ表示を行う（Ｓ２１）。使用者は図６の表示に促され、操作部２６又はリモコン操作部２０２のキーを操作して、報知指示を行うか否かを選択する。ＣＰＵ２１は、図６の画面において“はい”が入力されたか（Ｓ２２）又は“いいえ”が入力されたか（Ｓ２２：ＮＯ、Ｓ２９）を判断し、いずれかが入力されるまで待機する（Ｓ２２：ＮＯ、Ｓ２９：ＮＯ）。
【００４２】
ＣＰＵ２１は、“はい”が入力されたと判断した場合（Ｓ２２：ＹＥＳ）、図７に示すように、現在の地域設定内容のＯＳＤ表示、及び放送電波を検知（チャンネルサーチ）するか否かを受け付けるＯＳＤ表示を行う（Ｓ２３）。なお、地域の設定を一度も受け付けていない場合、そのときの地域設定の内容は表示されない。
使用者は、図７の表示に促され、操作部２６又はリモコン操作部２０２のキーを操作して放送電波の検知を指示するか否かを選択する。この場合、使用者がＯＳＤ表示に地域の設定内容が表示されていないこと又は地域の設定が正しくないことを認識したときは、地域の設定を行う目的で“しない”を選択する。
【００４３】
ＣＰＵ２１は、図７の画面において“する”が入力されたか（Ｓ２４）又は“しない”が入力されたか（Ｓ２４：ＮＯ、Ｓ３２）を判断し、いずれかが入力されるまで待機する（Ｓ２４：ＮＯ、Ｓ３２：ＮＯ）。“しない”が入力された場合（Ｓ３２：ＹＥＳ）、後述する地域設定を行うステップＳ３０に処理を遷移させる。
【００４４】
ＣＰＵ２１は、“する”が入力されたと判断した場合（Ｓ２４：ＹＥＳ）、放送電波１波の検知を実行する（Ｓ２５）。更に検知した放送電波に含まれるＳＩ情報からリモコンキーＩＤを読み出し、検知した放送電波の受信チャンネル番号をリモコンキーＩＤと同一の数値を有するリモコン番号に対応付ける（Ｓ２６）。
この場合、同一のリモコンキーＩＤを有する放送電波を複数検知したときは、受け付けた地域に割り当てられた図３の放送局について優先的にリモコン番号に対応付ける。また、地域の設定を一度も受け付けていない場合であっても、同一のリモコンキーＩＤを有する放送電波を重複して検知することは希であるため、検知した放送電波の受信チャンネル番号は、対応付けが重複することになっても検知の都度リモコン番号に対応付ける。前記対応付けは、制御部２０のＲＡＭ２４に保持されており、使用者がリモコンキーを押下して設定操作を行ったときに、ＣＰＵ２１によって該リモコンキーのリモコン番号に対応付けられた受信チャンネル番号が検索される。ＣＰＵ２１は該受信チャンネル番号より受信周波数を得て、ＴＶ回路１１に対し選局を制御する。
【００４５】
どのチャンネルを検知しているかを示す経過及び検知して対応付けた結果は、図８に示すようにＯＳＤ表示される（Ｓ２７）。対象となる全ての放送電波について検知を終了した場合（Ｓ２８：ＹＥＳ）、処理を終了する。検知を終了していない場合（Ｓ２８：ＮＯ）。検知を実行するステップＳ２５に処理を戻す。
【００４６】
ＣＰＵ２１は、ステップＳ２９で“いいえ”が入力されたと判断した場合（Ｓ２９：ＹＥＳ）、図２の地域設定を行う画面をＯＳＤ表示する（Ｓ３０）。使用者は、図２の表示に促され、操作部２６又はリモコン操作部２０２を操作して地域設定を行う。ＣＰＵ２１は、図２の画面及びこれに続く画面において地域設定の入力処理を行い（Ｓ３１）、処理をステップＳ２３に遷移させる。
【００４７】
このように構成された実施の形態１に係る放送録画装置にあっては、放送電波の受信状態が劣化したと判断した場合、使用者が前記装置の故障と認識する前に、放送電波の検知を促すと共に検知指示の受け付けに係る報知の指示を問うＯＳＤ表示を行う。該ＯＳＤ表示に使用者が肯定応答を入力した場合、受け付けた地域の設定内容を表示しつつ放送電波の検知の指示を問うＯＳＤ表示を行う。更に該ＯＳＤ表示に対して使用者が肯定応答した場合、放送電波を検知する。検知の都度、放送電波に含まれるＳＩ情報から各放送局のリモコンキーＩＤを読み取り、検知した放送電波の受信チャンネル番号をリモコン番号に対応付ける。従って視聴場所の移動若しくは放送電波の受信チャンネルの追加変更等により放送電波の受信状態が劣化した場合又は使用者が放送電波の検知を失念したため受信できない場合に、特別な検出手段又は新たな地域設定を要することなしに放送電波を検知し、地上波デジタルの放送電波をリモコン番号へ速やかに且つ簡便に対応付けることが可能となり、使用者が即刻対応できるという利便性が高められると共に、使用者が故障と誤認する可能性を低減することができる。
【００４８】
実施の形態１にあっては、図５のステップ２３において、そのときの地域の設定内容をＯＳＤ表示するように構成してあるが、地域の設定に係る他の情報、例えば、地域の設定を受け付けたか否かをＯＳＤ表示するように構成してもよい。
【００４９】
（実施の形態２）
本発明の実施の形態２に係る放送録画装置は、ＣＰＵ２１による処理内容の一部が異なる他は、実施の形態１に係る放送録画装置と同一である。本発明の実施の形態２に係る放送録画装置は、本発明に係る放送受信装置１を備える。放送受信装置１は、地上波デジタル放送及び地上波アナログ放送を受信することが可能であり、受信中は放送電波の受信状態を図４の処理手順に従って判定し続ける。
【００５０】
図９は、放送受信装置１において、放送電波の受信状態が劣化した場合の処理手順を示すフローチャートである。以下の処理は制御部２０のＲＯＭ２３に予め格納されている制御プログラムに従ってＣＰＵ２１により実行される。
【００５１】
ＣＰＵ２１は、図１０に示すように、放送電波の検知（チャンネルサーチ）を促すＯＳＤ表示を行うと共に、放送電波を検知（チャンネルサーチ）するか否かを受け付けるＯＳＤ表示を行う（Ｓ４１）。使用者は、図１０の表示に促され、操作部２６又はリモコン操作部２０２のキーを操作して放送電波の検知を指示するか否かを選択する。ＣＰＵ２１は、図１０の画面において“はい”が入力されたか（Ｓ４２）又は“いいえ”が入力されたか（Ｓ４２：ＮＯ、Ｓ４７）を判断し、いずれかが入力されるまで待機する（Ｓ４２：ＮＯ、Ｓ４７：ＮＯ）。“いいえ”が入力された場合（Ｓ４７：ＹＥＳ）、処理を終了する。
【００５２】
ＣＰＵ２１は、“はい”が入力されたと判断した場合（Ｓ４２：ＹＥＳ）、放送電波１波の検知を実行する（Ｓ４３）。検知した放送電波の受信チャンネル番号を受信チャンネルの若番順に、リモコンキー又は選局ボタンによって設定される数値に対応付ける（Ｓ４４）。どのチャンネルを検知しているかを示す経過及び検知して対応付けた結果は、図８に示すようにＯＳＤ表示される（Ｓ４５）。対象となる全ての放送電波について検知を終了した場合（Ｓ４６：ＹＥＳ）、処理を終了する。検知を終了していない場合（Ｓ４６：ＮＯ）。検知を実行するステップＳ４３に処理を戻す。
【００５３】
実施の形態２に係る放送録画装置においては、放送電波の受信状態が劣化した場合の処理以外の構成は、実施の形態１に係る放送録画装置の構成と同様であるため、詳細な説明を省略する。
【００５４】
このように構成された実施の形態２に係る放送録画装置にあっては、放送電波の受信状態が劣化したと判断した場合、使用者が前記装置の故障と認識する前に、放送電波の検知を促すと共に検知の指示を問うＯＳＤ表示を行う。該ＯＳＤ表示に対して使用者が肯定応答した場合、放送電波を検知し、検知した放送電波の受信チャンネル番号をリモコンキー又は選局ボタンによって設定される数値に対応付ける。従って視聴場所の移動若しくは放送電波の受信チャンネルの追加変更等により放送電波の受信状態が劣化した場合又は使用者が放送電波の検知を失念したため受信できない場合に、特別な検出手段を要することなく使用者が即刻対応できるという利便性が高められると共に、使用者が故障と誤認する可能性を低減することができる。
【００５５】
なお、上述した実施の形態１及び２にあっては、放送録画装置の放送受信装置１に表示部１４及び音声出力部１３を備えるものを例に説明したが、表示部１４及び音声出力部１３は周知の外付け表示装置及び拡声装置であってもよい。
【００５６】
実施の形態１及び２では、外部のアンテナに接続する放送録画装置について説明したが、アンテナを内蔵してもよい。またＯＳＤ回路１２は、放送映像の一部又は全部と各種ＯＳＤ表示とを切り替え出力するものに限定されるものではなく、放送映像にＯＳＤ表示を重畳するものでもよい。
【００５７】
実施の形態１の図６、及び実施の形態２の図１０では、検知を促すＯＳＤ表示を行っているが、該ＯＳＤ表示を行わないものとしてもよい。
【図面の簡単な説明】
【００５８】
【図１】本発明の実施の形態１に係る放送録画装置の構成を示すブロック図である。
【図２】地上波デジタル放送用のテレビジョン受像機において地域の設定を行う操作画面がＯＳＤ表示された例を示す図である。
【図３】地上波デジタル放送の地域名・県域に割り当てられたリモコン番号及び放送局名を示す図表である。
【図４】本発明に係る放送受信装置において、放送電波の受信状態を判定する処理手順を示すフローチャートである。
【図５】実施の形態１に係る放送録画装置の備える放送受信装置において地上波デジタルの放送電波の受信状態が劣化した場合の処理手順を示すフローチャートである。
【図６】放送電波の検知を促すＯＳＤ表示した画像、及び検知の指示を受け付ける画面を報知するか否かを受け付けるＯＳＤ表示した画像を示す説明図である。
【図７】現在の地域設定内容のＯＳＤ表示した画像、及び放送電波を検知（チャンネルサーチ）するか否かを受け付けるＯＳＤ表示した画像を示す説明図である。
【図８】放送電波の検知の経過及び検知した結果を示すＯＳＤ表示した画像を示す説明図である。
【図９】実施の形態２に係る放送録画装置の備える放送受信装置において放送電波の受信状態が劣化した場合の処理手順を示すフローチャートである。
【図１０】放送電波の検知を促すＯＳＤ表示した画像、及び放送電波を検知するか否かを受け付けるＯＳＤ表示した画像を示す説明図である。
【図１１】従来のテレビジョン受像機において受信電界強度が視聴に適するレベル以下となった場合のＯＳＤ表示された例を示す図である。
【図１２】従来のテレビジョン受像機において受信電界強度が視聴可能なレベル以下となった場合のＯＳＤ表示された例を示す図である。
【図１３】従来のテレビジョン受像機において受信電界強度が検知可能なレベル以下となった場合のＯＳＤ表示された例を示す図である。
【符号の説明】
【００５９】
１    放送受信装置
２    リモコン
２０１  送信部
２０２  リモコン操作部
３    録画部
１０  受像部
１１  ＴＶ回路
１２  ＯＳＤ回路
１３  音声出力部
１４  表示部
２０  制御部
２１  ＣＰＵ
２２  タイマー
２３  ＲＯＭ
２４  ＲＡＭ
２５  受信部
２６  操作部
【図１】
2008227629.tif 000003
【図２】
2008227629.tif 000004
【図３】
2008227629.tif 000005
【図４】
2008227629.tif 000006
【図５】
2008227629.tif 000007
【図６】
2008227629.tif 000008
【図７】
2008227629.tif 000009
【図８】
2008227629.tif 000010
【図９】
2008227629.tif 000011
【図１０】
2008227629.tif 000012
【図１１】
2008227629.tif 000013
【図１２】
2008227629.tif 000014
【図１３】
2008227629.tif 000015